(57)【特許請求の範囲】
【請求項１】
鍋底温度センサーと、ガスコックの開閉と点火動作に連動し、前記ガスコックを外力により押されているときのみオンする第１のコックスイッチと、前記ガスコックの開閉に連動し前記ガスコックが開状態であるとき連続オン動作する第２のコックスイッチと、前記第１のコックスイッチがオンすることにより動作する点火器と、前記第２のコックスイッチがオン動作することにより動作する前記鍋底温度センサーからの信号を入力とする制御回路とを備えたガス調理機器。
【請求項２】
鍋底温度センサーの電圧信号に電圧を重畳する構成とした請求項１記載のガス調理機器。
【発明の詳細な説明】
【０００１】
【産業上の利用分野】
本発明は鍋底温度センサーを備えたガス調理機器に関するものである。
【０００２】
【従来の技術】
近年、燃焼機器、特にガス調理機器においては安全性の向上のため、立ち消え安全装置や、油調理時に消し忘れ等で起こる火災防止のために鍋底の温度を鍋底温度センサーで検出し所定の温度以上になると安全弁を遮断する等、安全装置の普及が進んでおり、低価格のガス調理機器にも搭載の必要性が高まってきた。
【０００３】
図２は従来のこの種のガス調理機器を示すもので、コックスイッチ１２はガスコックが開状態の時、連続オンするスイッチであり、鍋底温度センサー４の制御回路３はコックスイッチ１２がオンしているときのみ機能し、点火器２はコックスイッチ１２がオンで動作し、鍋底温度センサー４の制御回路３内の遅延回路により所定時間動作後停止させていた。
【０００４】
また図３は他の従来例を示すもので、ガスコックの開閉に連動し、前記ガスコックを外力により押しているときのみオンする第１の接点１５と、前記ガスコックが開いている間、連続オンする第２の接点１４を備えた一体型のコックスイッチ１３を使用し、前記コックスイッチ１３の第１の接点１５で点火器２の動作を行い、前記コックスイッチ１３の第２の接点１４で鍋底温度センサー４の制御回路３のオン／オフを行う構成である。
【０００５】
また図４はさらに他の従来例を示すもので、冷凍食品１６を調理する場合は鍋底温度センサー４が異常低温となり、前記鍋底温度センサー４内のサーミスタ素子１１の抵抗値が上昇し前記鍋底温度センサー４の制御回路３に入力される前記鍋底センサー４の電圧信号８が低下するため、前記鍋底温度センサー４内の前記サーミスタ素子１１が開放であると前記鍋底センサー４の制御回路３は判定しガス調理機器の動作は停止するため前記鍋底温度センサー４が所定温度になるまで点火動作を繰り返す必要があった。従って、調理開始後前記鍋底温度センサー４が所定の温度に達するまで前記鍋底温度センサー４の電圧信号８をマスクする必要があり、リレー、半導体素子などで前記鍋底温度センサー４の電圧信号８をオン／オフしていた。
【０００６】
【発明が解決しようとする課題】
しかしながら上記従来技術に記した鍋底温度センサーの制御回路で点火器動作の遅延を制御する構成では、ガス調理器特有の点火器ノイズの影響により前記鍋底温度センサーの制御回路が誤動作する可能性があり、火災発生の恐れがあった。
【０００７】
また使用する人が点火動作を行い着火後点火動作を終了しても遅延回路による前記点火器の制御のため所定時間経過しないことには点火器の動作は停止せず、使用する人に危険感を与えてしまう。
【０００８】
またガスコックの開閉に連動し、前記ガスコックを押しているときのみ動作する第１の接点と、前記ガスコックが開している間、連続動作する第２の接点を備えた一体型のコックスイッチでは、前記コックスイッチ内部で鍋底温度センサーの制御回路へ点火器ノイズの影響を受け、前記鍋底温度センサーの制御回路が誤動作し、火災発生の恐れがあった。
【０００９】
また前記一体型のコックスイッチは特別に製造されたコックスイッチのためコスト高であり、低価格ガス調理機器への安全装置の搭載が困難であり、構造が複雑であるため故障する可能性が高く、機器の安全性が確保できない。
【００１０】
また、鍋底センサーの電圧信号をリレー、半導体素子などでスイッチングする構成では、リレー、半導体が故障した場合鍋底センサーの電圧信号が入力されないため鍋底センサー制御回路の入力ポートはノイズの影響を受け易く、鍋底センサー制御回路の誤動作より火災発生の恐れがあった。
【００１１】
そこで本発明は、上記従来の欠点を解決するもので、簡単な構成で安全性を向上させることを目的とするものである。
【００１２】
【課題を解決するための手段】
上記目的を達成するために本発明の第１の手段は、鍋底温度センサーと、ガスコックの開閉と点火動作に連動し、前記ガスコックを外力により押されているときのみオンする第１のコックスイッチと、前記ガスコックの開閉に連動し前記ガスコックが開状態であるとき連続オン動作する第２のコックスイッチと、前記第１のコックスイッチがオンすることにより動作する点火器と、前記第２のコックスイッチがオンすることにより動作する前記鍋底温度センサーからの信号を入力とする制御回路とを備えたものである。
【００１３】
また、本発明の第２の手段は、鍋底温度センサーの電圧信号に電圧を重畳する構成としたものである。
【００１４】
【作用】
本発明は上記した第１の手段によれば、点火器は前記第１のコックスイッチがオンする事により動作し、ガスコックからの外力を解除すると前記第１のコックスイッチがオフとなり前記点火器の動作は停止する。また前記第２のコックスイッチがオンすると制御回路が誤動作状態となり、ガスコックが閉状態になると前記コックスイッチがオフとなり、制御回路の機能が停止する。この構成は、点火器回路と鍋底センサー制御回路が完全に分離されるため点火器ノイズにより前記鍋底センサー回路は誤動作する恐れはなく、火災発生の恐れもない。また点火器は点火動作時のみ動作することに使用する人にも危険感を与えない。またガスコックの開閉に連動した２連のコックスイッチは汎用品であるため低コストであり、低価格ガス調理機器への安全装置の搭載が容易に行え、構造がシンプルであるため故障する可能性も少ない。
【００１５】
また、第２の手段によれは、調理開始後前記鍋底温度センサーが所定の温度に達するまで鍋底温度センサーの電圧信号に電圧を重畳し、制御回路に入力される電圧を上昇させ、鍋底温度センサーの正常疑似温度の電圧信号を構成する事により調理開始後前記鍋底温度センサーが所定の温度に達するまで鍋底温度センサー鍋底温度センサーの電圧信号が未入力になることはなく、制御回路の入力ポートへのノイズの影響はなく、制御回路の誤動作により火災発生の恐れもない。
【００１６】
【実施例】
以下本発明の実施例を図１に基づいて説明する。尚、従来例と同一部分には同一符号を記してその説明を省略する。
【００１７】
バーナへのガス供給路に設けたガスコックの開閉と点火動作に連動し、前記ガスコックを外力で押しているときのみオンする第１のコックスイッチ６が点火器２と直列接続してあり、この直列回路と並列に、前記ガスコックの開閉に連動し前記ガスコックが開状態のとき連続オンする第２のコックスイッチが接続されている。この２個のコックスイッチ１、６はガスコックに設置されている。鍋底温度センサー４からの信号を入力とする制御回路３は第２のコックスイッチ１を介して電源５に接続され、鍋底温度センサー４からの信号にもとづき異常温度上昇時には安全弁（図示せず）を動作させてバーナへの燃料供給を断つ構成となっている。なお、７、１０は抵抗、１１は鍋底温度センサー４を構成するサーミスタ素子である。
【００１８】
以上の構成において、ガスコックに外力を加え点火動作をしたとき、前記第１のコックスイッチ６がオンして点火器２が動作し、また、前記第２のコックスイッチ１がオンし制御回路３が作動する。着火確認後ガスコックへの外力を解除すると、前記第１のコックスイッチ６がオフとなり前記点火器２の動作は停止するが、前記第２のコックスイッチ１は連続オンのため制御回路３は動作し続ける。調理開始後、前記鍋底温度センサー４が所定の温度に達するまでの時間、前記鍋底温度センサー４からの電圧信号８に電圧９を重畳し、前記制御回路３に入力される前記鍋底温度センサー４からの電圧信号８を上昇させ、前記鍋底温度センサー４の正常疑似温度の電圧信号を構成する事により、調理開始後前記鍋底温度センサー４が所定の温度に達するまで前記鍋底温度センサー４の現状電圧信号を鍋底温度センサー４の制御回路３に入力しない。調理終了後は外力によりガスコックを閉状態にすることにより、前記第２のコックスイッチ１はオフとなり、前記鍋底温度センサー４の制御回路３の機能が停止する。
【００１９】
【発明の効果】
以上の説明から明らかのように、本発明によれば、下記の効果を奏する。
【００２０】
（１）ガスコックを外力で押しているときのみオンする第１のコックスイッチで点火器の動作を行い、前記ガスコックが開状態のとき連続オンする第２のコックスイッチで鍋底温度センサーの制御回路をオン／オフする事により、前記点火器と前記鍋底温度センサーの制御回路は分離された状態であり、点火器ノイズの影響で鍋底温度センサーの制御回路は誤動作はせず、火災の恐れもなく安全性を確保する事ができる。
【００２１】
（２）ガスコックを外力で押しているときのみオンする第１のコックスイッチで点火器の動作を行うことにより、前記点火器は点火動作のみ動作し、使用する人にも危険感を与えない。
【００２２】
（３）ガスコックの開閉と点火動作に連動し、前記ガスコックを外力で押しているときのみ第１のコックスイッチと、前記ガスコックの開閉に連動し前記ガスコックが開状態のとき連続オンする第２のコックスイッチの２個のコックスイッチは汎用品であるため低コストであり、低価格ガス調理機器への安全装置の搭載が容易に行え、構造がシンプルであるため故障する可能性も少ない。
【００２３】
（４）鍋底センサーの電圧信号に電圧を重畳し、鍋底温度センサーの正常疑似温度の電圧信号を構成することにより鍋底温度センサーの現状電圧信号を鍋底温度センサーの制御回路に入力しないので、鍋底温度センサーの電圧信号が未入力になることはないため鍋底温度センサーの制御回路の入力ポートへのノイズの影響はなく鍋底温度センサーの制御回路の誤動作により火災発生の恐れもない事から安全性は容易に確保可能となる。
【図面の簡単な説明】
【図１】本発明の一実施例のガス調理機器の制御回路図
【図２】従来のガス調理機器の制御回路図
【図３】従来のガス調理機器の制御回路図
【図４】従来のガス調理機器の制御回路図
【符号の説明】
１  第２のコックスイッチ
２  点火器
３  の制御回路
４  鍋底温度センサー
６  第１のコックスイッチ
【図１】
0003687116.tif 000002
【図２】
0003687116.tif 000003
【図３】
0003687116.tif 000004
【図４】
0003687116.tif 000005